【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１の送信時間間隔（ＴＴＩ）長を使用して監視または送信することに基づく第１のチャネル使用手順を用いる第１のコンポーネントキャリアと、前記第１のＴＴＩ長とは異なる第２のＴＴＩ長を使用して監視または送信することに基づく第２のチャネル使用手順を用いる第２のコンポーネントキャリアとを備えるキャリアアグリゲーション（ＣＡ）構成を決定すること、
を備え、
前記第１のコンポーネントキャリアのための第１の構成と、前記第２のコンポーネントキャリアのための第２の構成とを備える間欠受信（ＤＲＸ）構成を決定することと、ここにおいて、前記第２の構成が、前記第２のＴＴＩ長のいくつかの期間中にアクティブＵＥ動作をサポートするためにダウンリンクおよびアップリンクバーストとＤＲＸオン期間を協調させるために決定される、
を備えることを特徴とする、方法。
【請求項２】
前記第１のＴＴＩ長が、ロングタームエボリューション（ＬＴＥ）サブフレームであり、前記第２のＴＴＩ長が、ＬＴＥシンボル期間である、請求項１に記載の方法。
【請求項３】
前記第２のコンポーネントキャリアが、共有または無認可スペクトル中にある、ここにおいて、前記第２のチャネル使用手順が、リッスンビフォアトーク（ＬＢＴ）手順に少なくとも部分的にさらに基づき、前記第１のチャネル使用手順が、非ＬＢＴ手順に少なくとも部分的にさらに基づく、請求項１に記載の方法。
【請求項４】
チャネルがチャネル取得タイマー中に基地局によって取得されたのかどうかをユーザ機器（ＵＥ）によって監視すること、ここにおいて、前記第２の構成が、前記チャネル取得タイマーに少なくとも部分的に基づく、
をさらに備える、請求項１に記載の方法。
【請求項５】
前記監視することに基づいて前記ＵＥによって前記ＤＲＸ構成を管理することをさらに備える、請求項４に記載の方法。
【請求項６】
ＤＲＸ開始メッセージを受信することと、
前記ＤＲＸ開始メッセージに少なくとも部分的に基づいて前記第２の構成に従ってＤＲＸオン持続時間を開始すること、または、
前記第１のコンポーネントキャリア上で前記第２のコンポーネントキャリアのためのＤＲＸコマンドメッセージを受信することと、
前記ＤＲＸコマンドメッセージに少なくとも部分的に基づいて前記第２のコンポーネントキャリア上でＤＲＸオフ状態に遷移すること
のいずれかをさらに備える、請求項３に記載の方法。
【請求項７】
前記第２の構成に従って第１の時間期間の間前記第２のコンポーネントキャリア上での通信のために少なくとも１つの無線構成要素を非活動化することと、
前記第１の時間期間が経過した後にオン持続時間の間前記少なくとも１つの無線構成要素を活動化することと、
前記オン持続時間中に前記第２のコンポーネントキャリア上で制御チャネルメッセージを受信することと、ここにおいて、前記制御チャネルメッセージが、前記オン持続時間中のバースト長を示す、
をさらに備える、請求項１に記載の方法。
【請求項８】
前記第２の構成のオン持続時間中にＤＬバースト長の指示を送信すること
をさらに備える、請求項１に記載の方法。
【請求項９】
前記ＤＲＸ構成が、１つまたは複数のＤＲＸモードを備える、ここにおいて、各モードが、前記第１の構成と前記第２の構成との間の関係に対応する、請求項１に記載の方法。
【請求項１０】
前記１つまたは複数のＤＲＸモードのうちのあるモードは、前記第１の構成が前記第２の構成から独立していることを指定し、または、
前記第１の構成の少なくとも１つのＤＲＸオン持続時間に関連する前記第２の構成のＤＲＸオン持続時間を備え、または、
前記第１の構成が、前記第１の構成のオフ持続時間中に前記第２の構成から独立していることと、前記第１の構成の各ＤＲＸオン持続時間に関連する前記第２の構成のＤＲＸオン持続時間とを指定する、請求項９に記載の方法。
【請求項１１】
前記第２の構成が、前記第２の構成の各オン持続時間に関連するＤＬ  ＴＴＩ、または第１のオン持続時間内にＵＬバースト、または前記第１の構成のオン持続時間のセットと同じ時間にわたるオン持続時間の第１のセットと、前記第１の構成の少なくとも１つのオフ持続時間内のオン持続時間の第２のセットとを備える、請求項１に記載の方法。
【請求項１２】
前記第２の構成の各オン持続時間に関連する前記ＤＬ  ＴＴＩが、ユーザ機器に向けられるＤＬ制御情報で構成された、請求項１１に記載の方法。
【請求項１３】
前記第２のコンポーネントキャリアのＤＬバースト構成が、前記第２の構成のオン持続時間中に発生する各ＤＬバーストのための最終ＤＬ  ＴＴＩを備える、請求項１に記載の方法。
【請求項１４】
前記第２の構成の各オン持続時間が、前記第２のコンポーネントキャリアのＤＬバーストのための最終ＤＬ  ＴＴＩを含むように延長された、請求項１に記載の方法。
【請求項１５】
前記第２の構成のオン持続時間の前記最終ＤＬ  ＴＴＩ中に、スケジュールされたアップリンク（ＵＬ）バーストの指示を受信することと、
前記指示に少なくとも部分的に基づいて前記第２のコンポーネントキャリアに関連するハイブリッド自動再送要求（ＨＡＲＱ）プロセスのための確認応答を送信することと
をさらに備える、請求項１４に記載の方法。
【請求項１６】
前記ＵＬバーストのＴＴＩを使用してチャネル状態情報（ＣＳＩ）メッセージを送信すること
をさらに備える、請求項１１に記載の方法。
【請求項１７】
前記第２の構成に関連するオン持続時間に関連する前記第１のコンポーネントキャリアのシンボルレベルの中断に少なくとも部分的に基づいて前記第１のコンポーネントキャリア上でのデータ送信をレートマッチングすること
をさらに備える、請求項１に記載の方法。
【請求項１８】
ワイヤレス通信のための装置であって、
第１の送信時間間隔（ＴＴＩ）長を使用して監視または送信することに基づく第１のチャネル使用手順を用いる第１のコンポーネントキャリアと、前記第１のＴＴＩ長とは異なる第２のＴＴＩ長を使用して監視または送信することに基づく第２のチャネル使用手順を用いる第２のコンポーネントキャリアとを備えるキャリアアグリゲーション（ＣＡ）構成を決定するための手段、
を備え、
前記第１のコンポーネントキャリアのための第１の構成と、前記第２のコンポーネントキャリアのための第２の構成とを備える間欠受信（ＤＲＸ）構成を決定するための手段と、ここにおいて、前記第２の構成が、前記第２のＴＴＩ長のいくつかの期間中にアクティブＵＥ動作をサポートするためにダウンリンクおよびアップリンクバーストとＤＲＸオン期間を協調させるために決定される、
を備えることを特徴とする、装置。
【請求項１９】
ワイヤレス通信のためのコードを記憶する非一時的コンピュータ可読媒体であって、前記コードが、ワイヤレス通信デバイスに、請求項１乃至１３のいずれか１つの前記方法を実行させるように実行可能な命令を備える、非一時的コンピュータ可読媒体。
【手続補正２】
【補正対象書類名】明細書
【補正対象項目名】０１２８
【補正方法】変更
【補正の内容】
【０１２８】
[0135]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明した例および設計に限定されるべきでなく、本明細書で開示される原理および新規の特徴に合致する最も広い範囲を与えられるべきである。
以下に本願の出願当初の特許請求の範囲に記載された発明を付記する。
［Ｃ１］
ワイヤレス通信の方法であって、
第１のチャネル使用手順を用いる第１のコンポーネントキャリアと、第２のチャネル使用手順を用いる第２のコンポーネントキャリアとを備えるキャリアアグリゲーション（ＣＡ）構成を決定することと、ここにおいて、前記第１のチャネル使用手順が、前記第２のチャネル使用手順とは異なる、
前記第１のコンポーネントキャリアのための第１の構成と、前記第２のコンポーネントキャリアのための第２の構成とを備える間欠受信（ＤＲＸ）構成を決定することと
を備える、方法。
［Ｃ２］
前記第１のチャネル使用手順が、第１の送信時間間隔（ＴＴＩ）長を使用して監視または送信することに少なくとも部分的に基づき、前記第２のチャネル使用手順が、前記第１のＴＴＩ長とは異なる第２のＴＴＩ長を使用して監視または送信することに少なくとも部分的に基づく、Ｃ１に記載の方法。
［Ｃ３］
前記第１のＴＴＩ長が、ロングタームエボリューション（ＬＴＥ）サブフレームであり、前記第２のＴＴＩ長が、ＬＴＥシンボル期間である、Ｃ２に記載の方法。
［Ｃ４］
前記第２のコンポーネントキャリアが、共有または無認可スペクトル中にある、ここにおいて、前記第２のチャネル使用手順が、リッスンビフォアトーク（ＬＢＴ）手順に少なくとも部分的に基づき、前記第１のチャネル使用手順が、非ＬＢＴ手順に少なくとも部分的に基づく、Ｃ１に記載の方法。
［Ｃ５］
前記第２の構成が、チャネル取得タイマーに少なくとも部分的に基づく、Ｃ４に記載の方法。
［Ｃ６］
チャネルがチャネル取得タイマー中に基地局によって取得されたのかどうかをユーザ機器（ＵＥ）によって監視すること、ここにおいて、前記第２の構成が、前記チャネル取得タイマーに少なくとも部分的に基づく、
をさらに備える、Ｃ１に記載の方法。
［Ｃ７］
前記監視することに基づいて前記ＵＥによって前記ＤＲＸ構成を管理することをさらに備える、Ｃ６に記載の方法。
［Ｃ８］
ＤＲＸ開始メッセージを受信することと、
前記ＤＲＸ開始メッセージに少なくとも部分的に基づいて前記第２の構成に従ってＤＲＸオン持続時間を開始することと
をさらに備える、Ｃ４に記載の方法。
［Ｃ９］
前記第１のコンポーネントキャリア上で前記第２のコンポーネントキャリアのためのＤＲＸコマンドメッセージを受信することと、
前記ＤＲＸコマンドメッセージに少なくとも部分的に基づいて前記第２のコンポーネントキャリア上でＤＲＸオフ状態に遷移することと
をさらに備える、Ｃ４に記載の方法。
［Ｃ１０］
前記第２の構成に従って第１の時間期間の間前記第２のコンポーネントキャリア上での通信のために少なくとも１つの無線構成要素を非活動化することと、
前記第１の時間期間が経過した後にオン持続時間の間前記少なくとも１つの無線構成要素を活動化することと、
前記オン持続時間中に前記第２のコンポーネントキャリア上で制御チャネルメッセージを受信することと、ここにおいて、前記制御チャネルメッセージが、前記オン持続時間中のバースト長を示す、
をさらに備える、Ｃ１に記載の方法。
［Ｃ１１］
前記第２の構成のオン持続時間中にＤＬバースト長の指示を送信すること
をさらに備える、Ｃ１に記載の方法。
［Ｃ１２］
前記ＤＲＸ構成が、１つまたは複数のＤＲＸモードを備える、ここにおいて、各モードが、前記第１の構成と前記第２の構成との間の関係に対応する、Ｃ１に記載の方法。［Ｃ１３］
前記１つまたは複数のＤＲＸモードのうちのあるモードは、前記第１の構成が前記第２の構成から独立していることを指定する、Ｃ１２に記載の方法。
［Ｃ１４］
前記１つまたは複数のＤＲＸモードのうちのあるモードが、前記第１の構成の少なくとも１つのＤＲＸオン持続時間に関連する前記第２の構成のＤＲＸオン持続時間を備える、Ｃ１２に記載の方法。
［Ｃ１５］
前記１つまたは複数のＤＲＸモードのうちのあるモードは、前記第１の構成が、前記第１の構成のオフ持続時間中に前記第２の構成から独立していることと、前記第１の構成の各ＤＲＸオン持続時間に関連する前記第２の構成のＤＲＸオン持続時間とを指定する、Ｃ１２に記載の方法。
［Ｃ１６］
前記第２の構成が、前記第２の構成の各オン持続時間に関連するＤＬ  ＴＴＩを備える、Ｃ１に記載の方法。
［Ｃ１７］
前記第２の構成の各オン持続時間に関連する前記ＤＬ  ＴＴＩが、ユーザ機器に向けられるＤＬ制御情報で構成された、Ｃ１６に記載の方法。
［Ｃ１８］
前記第２のコンポーネントキャリアのＤＬバースト構成が、前記第２の構成のオン持続時間中に発生する各ＤＬバーストのための最終ＤＬ  ＴＴＩを備える、Ｃ１に記載の方法。
［Ｃ１９］
前記第２の構成の各オン持続時間が、前記第２のコンポーネントキャリアのＤＬバーストのための最終ＤＬ  ＴＴＩを含むように延長された、Ｃ１に記載の方法。
［Ｃ２０］
前記第２の構成のオン持続時間の前記最終ＤＬ  ＴＴＩ中に、スケジュールされたアップリンク（ＵＬ）バーストの指示を受信することと、
前記指示に少なくとも部分的に基づいて前記第２のコンポーネントキャリアに関連するハイブリッド自動再送要求（ＨＡＲＱ）プロセスのための確認応答を送信することと
をさらに備える、Ｃ１９に記載の方法。
［Ｃ２１］
前記第２の構成が、オン持続時間内にＵＬバーストを備える、Ｃ１に記載の方法。
［Ｃ２２］
前記ＵＬバーストのＴＴＩを使用してチャネル状態情報（ＣＳＩ）メッセージを送信すること
をさらに備える、Ｃ２１に記載の方法。
［Ｃ２３］
前記第２の構成が、前記第１の構成のオン持続時間のセットと同じ時間にわたるオン持続時間の第１のセットと、前記第１の構成の少なくとも１つのオフ持続時間内のオン持続時間の第２のセットとを備える、Ｃ１に記載の方法。
［Ｃ２４］
前記第２の構成に関連するオン持続時間に関連する前記第１のコンポーネントキャリアのシンボルレベルの中断に少なくとも部分的に基づいて前記第１のコンポーネントキャリア上でのデータ送信をレートマッチングすること
をさらに備える、Ｃ１に記載の方法。
［Ｃ２５］
ワイヤレス通信のための装置であって、
第１のチャネル使用手順を用いる第１のコンポーネントキャリアと、第２のチャネル使用手順を用いる第２のコンポーネントキャリアとを備えるキャリアアグリゲーション（ＣＡ）構成を決定するための手段と、ここにおいて、前記第１のチャネル使用手順が、前記第２のチャネル使用手順とは異なる、
前記第１のコンポーネントキャリアのための第１の構成と、前記第２のコンポーネントキャリアのための第２の構成とを備える間欠受信（ＤＲＸ）構成を決定するための手段と
を備える、装置。
［Ｃ２６］
前記第１のチャネル使用手順が、第１の送信時間間隔（ＴＴＩ）長を使用して監視または送信することに少なくとも部分的に基づき、前記第２のチャネル使用手順が、前記第１のＴＴＩ長とは異なる第２のＴＴＩ長を使用して監視または送信することに少なくとも部分的に基づく、Ｃ２５に記載の装置。
［Ｃ２７］
前記第１のＴＴＩ長が、ロングタームエボリューション（ＬＴＥ）サブフレームであり、前記第２のＴＴＩ長が、ＬＴＥシンボル期間である、Ｃ２６に記載の装置。
［Ｃ２８］
前記第２のコンポーネントキャリアが、共有または無認可スペクトル中にある、ここにおいて、前記第２のチャネル使用手順が、リッスンビフォアトーク（ＬＢＴ）手順に少なくとも部分的に基づき、前記第１のチャネル使用手順が、非ＬＢＴ手順に少なくとも部分的に基づく、Ｃ２５に記載の装置。
［Ｃ２９］
前記第２の構成が、チャネル取得タイマーに少なくとも部分的に基づく、請求項２８に記載の装置。
［Ｃ３０］
チャネルがチャネル取得タイマー中に基地局によって取得されたのかどうかを監視すること、ここにおいて、前記第２の構成が、前記チャネル取得タイマーに少なくとも部分的に基づく、
をさらに備える、Ｃ２５に記載の装置。
［Ｃ３１］
前記監視することに基づいてＤＲＸ構成を管理することをさらに備える、Ｃ３０に記載の装置。
［Ｃ３２］
ＤＲＸ開始メッセージを受信するための手段と、
前記ＤＲＸ開始メッセージに少なくとも部分的に基づいて前記第２の構成に従ってＤＲＸオン持続時間を開始するための手段と
をさらに備える、Ｃ２５に記載の装置。
［Ｃ３３］
前記第１のコンポーネントキャリア上で前記第２のコンポーネントキャリアのためのＤＲＸコマンドメッセージを受信するための手段と、
前記ＤＲＸコマンドメッセージに少なくとも部分的に基づいて前記第２のコンポーネントキャリア上でＤＲＸオフ状態に遷移するための手段と
をさらに備える、Ｃ２５に記載の装置。
［Ｃ３４］
前記第２の構成に従って第１の時間期間の間前記第２のコンポーネントキャリア上での通信のために少なくとも１つの無線構成要素を非活動化するための手段と、
前記第１の時間期間が経過した後にオン持続時間の間前記少なくとも１つの無線構成要素を活動化するための手段と、
前記オン持続時間中に前記第２のコンポーネントキャリア上で制御チャネルメッセージを受信するための手段と、ここにおいて、前記制御チャネルメッセージが、前記オン持続時間中のバースト長を示す、
をさらに備える、Ｃ２５に記載の装置。
［Ｃ３５］
前記第２の構成のオン持続時間中にＤＬバースト長の指示を送信するための手段
をさらに備える、Ｃ２５に記載の装置。
［Ｃ３６］
前記ＤＲＸ構成が、１つまたは複数のＤＲＸモードを備える、ここにおいて、各モードが、前記第１の構成と前記第２の構成との間の関係に対応する、Ｃ２５に記載の装置。
［Ｃ３７］
前記１つまたは複数のＤＲＸモードのうちのあるモードは、前記第１の構成が前記第２の構成から独立していることを指定する、Ｃ３６に記載の装置。
［Ｃ３８］
前記１つまたは複数のＤＲＸモードのうちのあるモードが、前記第１の構成の少なくとも１つのＤＲＸオン持続時間に関連する前記第２の構成のＤＲＸオン持続時間を備える、Ｃ３６に記載の装置。
［Ｃ３９］
前記１つまたは複数のＤＲＸモードのうちのあるモードは、前記第１の構成が、前記第１の構成のオフ持続時間中に前記第２の構成から独立していることと、前記第１の構成の各ＤＲＸオン持続時間に関連する前記第２の構成のＤＲＸオン持続時間とを指定する、Ｃ３６に記載の装置。
［Ｃ４０］
前記第２の構成が、前記第２の構成の各オン持続時間に関連するＤＬ  ＴＴＩを備える、Ｃ２５に記載の装置。
［Ｃ４１］
前記第２の構成の各オン持続時間に関連する前記ＤＬ  ＴＴＩが、前記装置に向けられるＤＬ制御情報で構成された、Ｃ４０に記載の装置。
［Ｃ４２］
前記第２のコンポーネントキャリアのＤＬバースト構成が、前記第２の構成のオン持続時間中に発生する各ＤＬバーストのための最終ＤＬ  ＴＴＩを備える、Ｃ２５に記載の装置。
［Ｃ４３］
前記第２の構成の各オン持続時間が、前記第２のコンポーネントキャリアのＤＬバーストのための最終ＤＬ  ＴＴＩを含むように延長された、Ｃ２５に記載の装置。
［Ｃ４４］
前記第２の構成のオン持続時間の前記最終ＤＬ  ＴＴＩ中に、スケジュールされたアップリンク（ＵＬ）バーストの指示を受信するための手段と、
前記指示に少なくとも部分的に基づいて前記第２のコンポーネントキャリアに関連するハイブリッド自動再送要求（ＨＡＲＱ）プロセスのための確認応答を送信するための手段と
をさらに備える、Ｃ４３に記載の装置。
［Ｃ４５］
前記第２の構成が、オン持続時間内にＵＬバーストを備える、Ｃ２５に記載の装置。
［Ｃ４６］
前記ＵＬバーストのＴＴＩを使用してチャネル状態情報（ＣＳＩ）メッセージを送信するための手段
をさらに備える、Ｃ４５に記載の装置。
［Ｃ４７］
前記第２の構成が、前記第１の構成のオン持続時間のセットと同じ時間にわたるオン持続時間の第１のセットと、前記第１の構成の少なくとも１つのオフ持続時間内のオン持続時間の第２のセットとを備える、Ｃ２５に記載の装置。
［Ｃ４８］
前記第２の構成に関連するオン持続時間に関連する前記第１のコンポーネントキャリアのシンボルレベルの中断に少なくとも部分的に基づいて前記第１のコンポーネントキャリア上でのデータ送信をレートマッチングするための手段
をさらに備える、Ｃ２５に記載の装置。
［Ｃ４９］
ワイヤレス通信のための装置であって、
プロセッサと、
前記プロセッサと電子通信しているメモリと、
前記メモリに記憶され、前記プロセッサによって実行されたとき、前記装置に、
第１のチャネル使用手順を用いる第１のコンポーネントキャリアと、第２のチャネル使用手順を用いる第２のコンポーネントキャリアとを備えるキャリアアグリゲーション（ＣＡ）構成を決定することと、ここにおいて、前記第１のチャネル使用手順が、前記第２のチャネル使用手順とは異なる、
前記第１のコンポーネントキャリアのための第１の構成と、前記第２のコンポーネントキャリアのための第２の構成とを備える間欠受信（ＤＲＸ）構成を決定することと
を行わせるように動作可能な命令と
を備える、装置。
［Ｃ５０］
前記第１のチャネル使用手順が、第１の送信時間間隔（ＴＴＩ）長を使用して監視または送信することに少なくとも部分的に基づき、前記第２のチャネル使用手順が、前記第１のＴＴＩ長とは異なる第２のＴＴＩ長を使用して監視または送信することに少なくとも部分的に基づく、Ｃ４９に記載の装置。
［Ｃ５１］
前記第１のＴＴＩ長が、ロングタームエボリューション（ＬＴＥ）サブフレームであり、前記第２のＴＴＩ長が、ＬＴＥシンボル期間である、Ｃ５０に記載の装置。
［Ｃ５２］
前記第２のコンポーネントキャリアが、共有または無認可スペクトル中にある、ここにおいて、前記第２のチャネル使用手順が、リッスンビフォアトーク（ＬＢＴ）手順に少なくとも部分的に基づき、前記第１のチャネル使用手順が、非ＬＢＴ手順に少なくとも部分的に基づく、Ｃ４９に記載の装置。
［Ｃ５３］
前記第２の構成が、チャネル取得タイマーに少なくとも部分的に基づく、Ｃ５２に記載の装置。
［Ｃ５４］
前記命令は、チャネルがチャネル取得タイマー中に基地局によって取得されたのかどうかを監視することを実行可能である、ここにおいて、前記第２の構成が、前記チャネル取得タイマーに少なくとも部分的に基づく、Ｃ４９に記載の装置。
［Ｃ５５］
前記命令が、前記監視することに基づいてＤＲＸ構成を管理することを実行可能である、Ｃ５４に記載の装置。
［Ｃ５６］
前記命令が、
ＤＲＸ開始メッセージを受信することと、
前記ＤＲＸ開始メッセージに少なくとも部分的に基づいて前記第２の構成に従ってＤＲＸオン持続時間を開始することと
を実行可能である、Ｃ４９に記載の装置。
［Ｃ５７］
前記命令が、
前記第１のコンポーネントキャリア上で前記第２のコンポーネントキャリアのためのＤＲＸコマンドメッセージを受信することと、
前記ＤＲＸコマンドメッセージに少なくとも部分的に基づいて前記第２のコンポーネントキャリア上でＤＲＸオフ状態に遷移することと
を実行可能である、Ｃ４９に記載の装置。
［Ｃ５８］
前記命令が、
前記第２の構成に従って第１の時間期間の間前記第２のコンポーネントキャリア上での通信のために少なくとも１つの無線構成要素を非活動化することと、
前記第１の時間期間が経過した後にオン持続時間の間前記少なくとも１つの無線構成要素を活動化することと、
前記オン持続時間中に前記第２のコンポーネントキャリア上で制御チャネルメッセージを受信することと、ここにおいて、前記制御チャネルメッセージが、前記オン持続時間中のバースト長を示す、
を行わせるように動作可能である、Ｃ４９に記載の装置。
［Ｃ５９］
前記命令が、
前記第２の構成のオン持続時間中にＤＬバースト長の指示を送信すること
を行わせるように動作可能である、Ｃ４９に記載の装置。
［Ｃ６０］
前記ＤＲＸ構成が、１つまたは複数のＤＲＸモードを備える、ここにおいて、各モードが、前記第１の構成と前記第２の構成との間の関係に対応する、Ｃ４９に記載の装置。
［Ｃ６１］
前記１つまたは複数のＤＲＸモードのうちのあるモードは、前記第１の構成が前記第２の構成から独立していることを指定する、Ｃ６０に記載の装置。
［Ｃ６２］
前記１つまたは複数のＤＲＸモードのうちのあるモードが、前記第１の構成の少なくとも１つのＤＲＸオン持続時間に関連する前記第２の構成のＤＲＸオン持続時間を備える、Ｃ６０に記載の装置。
［Ｃ６３］
前記１つまたは複数のＤＲＸモードのうちのあるモードは、前記第１の構成が、前記第１の構成のオフ持続時間中に前記第２の構成から独立していることと、前記第１の構成の各ＤＲＸオン持続時間に関連する前記第２の構成のＤＲＸオン持続時間とを指定する、Ｃ６０に記載の装置。
［Ｃ６４］
前記第２の構成が、前記第２の構成の各オン持続時間に関連するＤＬ  ＴＴＩを備える、Ｃ４９に記載の装置。
［Ｃ６５］
前記第２の構成の各オン持続時間に関連する前記ＤＬ  ＴＴＩが、前記装置に向けられるＤＬ制御情報で構成された、Ｃ６４に記載の装置。
［Ｃ６６］
前記第２のコンポーネントキャリアのＤＬバースト構成が、前記第２の構成のオン持続時間中に発生する各ＤＬバーストのための最終ＤＬ  ＴＴＩを備える、Ｃ４９に記載の装置。
［Ｃ６７］
前記第２の構成の各オン持続時間が、前記第２のコンポーネントキャリアのＤＬバーストのための最終ＤＬ  ＴＴＩを含むように延長された、Ｃ４９に記載の装置。
［Ｃ６８］
前記命令が、
前記第２の構成のオン持続時間の前記最終ＤＬ  ＴＴＩ中に、スケジュールされたアップリンク（ＵＬ）バーストの指示を受信することと、
前記指示に少なくとも部分的に基づいて前記第２のコンポーネントキャリアに関連するハイブリッド自動再送要求（ＨＡＲＱ）プロセスのための確認応答を送信することと
を行わせるように動作可能である、Ｃ６７に記載の装置。
［Ｃ６９］
前記第２の構成が、オン持続時間内にＵＬバーストを備える、Ｃ４９に記載の装置。
［Ｃ７０］
前記命令が、
前記ＵＬバーストのＴＴＩを使用してチャネル状態情報（ＣＳＩ）メッセージを送信すること
を行わせるように動作可能である、Ｃ６９に記載の装置。
［Ｃ７１］
前記第２の構成が、前記第１の構成のオン持続時間のセットと同じ時間にわたるオン持続時間の第１のセットと、前記第１の構成の少なくとも１つのオフ持続時間内のオン持続時間の第２のセットとを備える、Ｃ４９に記載の装置。
［Ｃ７２］
前記命令が、
前記第２の構成に関連するオン持続時間に関連する前記第１のコンポーネントキャリアのシンボルレベルの中断に少なくとも部分的に基づいて前記第１のコンポーネントキャリア上でのデータ送信をレートマッチングすること
を行わせるように動作可能である、Ｃ４９に記載の装置。
［Ｃ７３］
ワイヤレス通信のためのコードを記憶する非一時的コンピュータ可読媒体であって、前記コードが、
第１のチャネル使用手順を用いる第１のコンポーネントキャリアと、第２のチャネル使用手順を用いる第２のコンポーネントキャリアとを備えるキャリアアグリゲーション（ＣＡ）構成を決定することと、ここにおいて、前記第１のチャネル使用手順が、前記第２のチャネル使用手順とは異なる、
前記第１のコンポーネントキャリアのための第１の構成と、前記第２のコンポーネントキャリアのための第２の構成とを備える間欠受信（ＤＲＸ）構成を決定することと
を実行可能な命令を備える、非一時的コンピュータ可読媒体。
［Ｃ７４］
前記第１のチャネル使用手順が、第１の送信時間間隔（ＴＴＩ）長を使用して監視または送信することに少なくとも部分的に基づき、前記第２のチャネル使用手順が、前記第１のＴＴＩ長とは異なる第２のＴＴＩ長を使用して監視または送信することに少なくとも部分的に基づく、Ｃ７３に記載の非一時的コンピュータ可読媒体。
［Ｃ７５］
前記第１のＴＴＩ長が、ロングタームエボリューション（ＬＴＥ）サブフレームであり、前記第２のＴＴＩ長が、ＬＴＥシンボル期間である、Ｃ７４に記載の非一時的コンピュータ可読媒体。
［Ｃ７６］
前記第２のチャネル使用手順が、クリアチャネルアセスメント（ＣＣＡ）手順に少なくとも部分的に基づき、前記第１のチャネル使用手順が、ＣＣＡ手順に基づかない、Ｃ７３に記載の非一時的コンピュータ可読媒体。
［Ｃ７７］
前記第２のコンポーネントキャリアが、共有または無認可スペクトル中にある、ここにおいて、前記第２のチャネル使用手順が、リッスンビフォアトーク（ＬＢＴ）手順に少なくとも部分的に基づき、前記第１のチャネル使用手順が、非ＬＢＴ手順に少なくとも部分的に基づく、Ｃ７６に記載の非一時的コンピュータ可読媒体。
［Ｃ７８］
前記第２の構成が、チャネル取得タイマーに少なくとも部分的に基づく、Ｃ７７に記載の非一時的コンピュータ可読媒体。
［Ｃ７９］
前記命令は、チャネルがチャネル取得タイマー中に基地局によって取得されたのかどうかを監視することを実行可能である、ここにおいて、前記第２の構成が、前記チャネル取得タイマーに少なくとも部分的に基づく、Ｃ７３に記載の非一時的コンピュータ可読媒体。
［Ｃ８０］
前記命令が、前記監視することに基づいてＤＲＸ構成を管理することを実行可能である、Ｃ７９に記載の非一時的コンピュータ可読媒体。
［Ｃ８１］
前記命令が、
ＤＲＸ開始メッセージを受信することと、
前記ＤＲＸ開始メッセージに少なくとも部分的に基づいて前記第２の構成に従ってＤＲＸオン持続時間を開始することと
を実行可能である、Ｃ７７に記載の非一時的コンピュータ可読媒体。
［Ｃ８２］
前記命令が、
前記第１のコンポーネントキャリア上で前記第２のコンポーネントキャリアのためのＤＲＸコマンドメッセージを受信することと、
前記ＤＲＸコマンドメッセージに少なくとも部分的に基づいて前記第２のコンポーネントキャリア上でＤＲＸオフ状態に遷移することと
を実行可能である、Ｃ７７に記載の非一時的コンピュータ可読媒体。
［Ｃ８３］
前記命令が、
前記第２の構成に従って第１の時間期間の間前記第２のコンポーネントキャリア上での通信のために少なくとも１つの無線構成要素を非活動化することと、
前記第１の時間期間が経過した後にオン持続時間の間前記少なくとも１つの無線構成要素を活動化することと、
前記オン持続時間中に前記第２のコンポーネントキャリア上で制御チャネルメッセージを受信することと、ここにおいて、前記制御チャネルメッセージが、前記オン持続時間中のバースト長を示す、
を実行可能である、Ｃ７３に記載の非一時的コンピュータ可読媒体。
［Ｃ８４］
前記命令が、
前記第２の構成のオン持続時間中にＤＬバースト長の指示を送信すること
を実行可能である、Ｃ７３に記載の非一時的コンピュータ可読媒体。
［Ｃ８５］
前記ＤＲＸ構成が、１つまたは複数のＤＲＸモードを備える、ここにおいて、各モードが、前記第１の構成と前記第２の構成との間の関係に対応する、Ｃ７３に記載の非一時的コンピュータ可読媒体。
［Ｃ８６］
前記１つまたは複数のＤＲＸモードのうちのあるモードは、前記第１の構成が前記第２の構成から独立していることを指定する、Ｃ８５に記載の非一時的コンピュータ可読媒体。
［Ｃ８７］
前記１つまたは複数のＤＲＸモードのうちのあるモードが、前記第１の構成の少なくとも１つのＤＲＸオン持続時間に関連する前記第２の構成のＤＲＸオン持続時間を備える、Ｃ８５に記載の非一時的コンピュータ可読媒体。
［Ｃ８８］
前記１つまたは複数のＤＲＸモードのうちのあるモードは、前記第１の構成が、前記第１の構成のオフ持続時間中に前記第２の構成から独立していることと、前記第１の構成の各ＤＲＸオン持続時間に関連する前記第２の構成のＤＲＸオン持続時間とを指定する、Ｃ８５に記載の非一時的コンピュータ可読媒体。
［Ｃ８９］
前記第２の構成が、前記第２の構成の各オン持続時間に関連するＤＬ  ＴＴＩを備える、Ｃ７３に記載の非一時的コンピュータ可読媒体。
［Ｃ９０］
前記第２の構成の各オン持続時間に関連する前記ＤＬ  ＴＴＩが、ユーザ機器に向けられるＤＬ制御情報で構成された、Ｃ８９に記載の非一時的コンピュータ可読媒体。
［Ｃ９１］
前記第２のコンポーネントキャリアのＤＬバースト構成が、前記第２の構成のオン持続時間中に発生する各ＤＬバーストのための最終ＤＬ  ＴＴＩを備える、Ｃ７３に記載の非一時的コンピュータ可読媒体。
［Ｃ９２］
前記第２の構成の各オン持続時間が、前記第２のコンポーネントキャリアのＤＬバーストのための最終ＤＬ  ＴＴＩを含むように延長された、Ｃ７３に記載の非一時的コンピュータ可読媒体。
［Ｃ９３］
前記命令が、
前記第２の構成のオン持続時間の前記最終ＤＬ  ＴＴＩ中に、スケジュールされたアップリンク（ＵＬ）バーストの指示を受信することと、
前記指示に少なくとも部分的に基づいて前記第２のコンポーネントキャリアに関連するハイブリッド自動再送要求（ＨＡＲＱ）プロセスのための確認応答を送信することと
を実行可能である、Ｃ９２に記載の非一時的コンピュータ可読媒体。
［Ｃ９４］
前記第２の構成が、オン持続時間内にＵＬバーストを備える、Ｃ７３に記載の非一時的コンピュータ可読媒体。
［Ｃ９５］
前記命令が、
前記ＵＬバーストのＴＴＩを使用してチャネル状態情報（ＣＳＩ）メッセージを送信すること
を実行可能である、Ｃ９４に記載の非一時的コンピュータ可読媒体。
［Ｃ９６］
前記第２の構成が、前記第１の構成のオン持続時間のセットと同じ時間にわたるオン持続時間の第１のセットと、前記第１の構成の少なくとも１つのオフ持続時間内のオン持続時間の第２のセットとを備える、Ｃ７３に記載の非一時的コンピュータ可読媒体。
［Ｃ９７］
前記命令が、
前記第２の構成に関連するオン持続時間に関連する前記第１のコンポーネントキャリアのシンボルレベルの中断に少なくとも部分的に基づいて前記第１のコンポーネントキャリア上でのデータ送信をレートマッチングすること
を実行可能である、Ｃ７３に記載の非一時的コンピュータ可読媒体。